(57)【特許請求の範囲】
【請求項１】
装置本体に表示部材を少なくとも備えてなる遊技用装置であって、
表示部材は、前記装置本体から突出して備えられた表示部材受け部に対し、鉛直方向の上部軸支構造と下部軸支構造を介して回動可能に備えられており、
少なくとも、前記下部軸支構造は、前記表示部材受け部の下面から、前記表示部材の下端に向けて鉛直方向に差し込まれる軸部材を有し、
前記軸部材の鉛直方向の長さをＬ１とし、
前記表示部材受け部の下方にて、前記装置本体から突出して備えられている取り外し可能な所定の突出部と、前記表示部材受け部との間に形成される隙間の鉛直方向幅をＬ２としたときに、
前記Ｌ１の長さの方が、前記Ｌ２の幅よりも長いことを特徴とする遊技用装置。
【発明の詳細な説明】
【技術分野】
【０００１】
本発明は遊技用装置、例えば、パチンコ機やスロットマシン機等の遊技機に隣接して配設され、遊技情報などを表示可能な表示部材を少なくとも備えてなる台間装置（各台対応装置、台間玉貸機ともいう。）などの遊技用装置に関する。
【背景技術】
【０００２】
従来、台間装置などの遊技用装置としては、特許文献１に開示のものが提案されており、球数等の遊技情報や遊技場のイベント情報などの遊技情報を表示可能なモニターなどの表示部材が設けられている。
【先行技術文献】
【特許文献】
【０００３】
【特許文献１】特開２０１１−１０４１１２号公報
【発明の概要】
【発明が解決しようとする課題】
【０００４】
近年、視認性の向上や、隣接する遊技機との干渉を避けることから、上記した表示部材を可動するように台間装置本体に軸支して備えたものが存在している。
【０００５】
このような場合において、表示部材の軸支構造をしっかりとした構造とすると、メンテナンス時などに表示部材を取り外すことが困難となってしまうということに鑑みて簡易な軸支構造を採用しているものが多いため、表示部材の可動操作回数が増えれば、表示部材を回動可能に軸支している部分に負荷が掛り、軸部材の脱落などが生じ、結果的に表示部材が落下するような事態が生じ易くなることも考えられる。
【０００６】
本発明は、このような問題を解決するためになされており、その目的は、簡易な可動構造で表示部材を移動可能とした、遊技場に有益な遊技用装置を提供することにある。
【課題を解決するための手段】
【０００７】
このような目的を達成するために、第１の発明は、装置本体（台間装置本体６３）に表示部材５３を少なくとも備えてなる遊技用装置（台間装置）であって、
表示部材５３は、前記装置本体（台間装置本体６３）から突出して備えられた表示部材受け部１０９に対し、鉛直方向の上部軸支構造１２３と下部軸支構造１２５を介して回動可能に備えられており、
少なくとも、前記下部軸支構造１２５は、前記表示部材受け部１０９の下面から、前記表示部材５３の下端に向けて鉛直方向に差し込まれる軸部材１２１を有し、
前記軸部材１２１の鉛直方向の長さをＬ１とし、
前記表示部材受け部１０９の下方にて、前記装置本体（台間装置本体６３）から突出して備えられている取り外し可能な所定の突出部（球案内ノズル部４５の上カバー１１５）と、前記表示部材受け部１０９との間に形成される隙間１４３の鉛直方向幅をＬ２としたときに、
前記Ｌ１の長さの方が、前記Ｌ２の幅よりも長いことを特徴とする遊技用装置としたことである。
【０００８】
第１の発明によれば、前記軸部材１２１の鉛直方向の長さ（Ｌ１）と、前記表示部材受け部１０９の下方にて、前記装置本体（台間装置本体６３）から突出して備えられている所定の突出部（球案内ノズル部４５の上カバー１１５）と、前記表示部材受け部１０９との間に形成される隙間１４３の鉛直方向幅（Ｌ２）との関係を、前記Ｌ１の長さの方が、前記Ｌ２の幅よりも長いとの関係としたため、簡単な軸支構造であっても軸部材１２１が抜け落ちて表示部材５３が落下してしまうといった不具合が生じ難い。
また、不正遊技者が不正目的で前記軸部材１２１を抜こうとする操作を未然に防止することもできる。
そして、表示部材５３のメンテナンス時などには、所定の突出部（球案内ノズル部４５の上カバー１１５）を取り外せば、軸部材１２１を抜いて表示部材を簡単に取り外すことができる。
【発明の効果】
【０００９】
本発明によれば、簡易な可動構造で表示部材を移動可能とした、遊技場に有益な遊技用装置を提供し得た。
【図面の簡単な説明】
【００１０】
【図１】本発明遊技用装置の一実施形態である台間装置を遊技機に隣接して備えた配設状態を示す概略斜視図である。
【図２】図１に示す台間装置の概略斜視図である。
【図３】表示部材周辺を部分的に拡大して示す概略斜視図である。
【図４】表示部材の回動状態を示す概略平面図である。
【図５】表示部材の軸支構造を断面して示す部分拡大概略図である。
【図６】下部軸支構造を部分的に拡大して示す概略図である。
【図７】表示部材が段階的に回動し、その回動位置にて保持されている状態を部分的に拡大して底面側から見た状態の概略図で、（ａ）はガイド軸が第一の保持孔に保持されている状態、（ｂ）はガイド軸が第三の保持孔に保持されている状態、（ｃ）はガイド軸が第五の保持孔に保持されている状態をそれぞれ示す。
【図８】係止部材の概略平面図で、（ａ）は保持部に設けられた保持孔にガイド軸が保持されている状態を示し、（ｂ）は隣り合う保持孔間に存する突起部間の隙間をガイド軸が押し広げつつ隣の保持孔へと移動し、かつ保持部にそって設けられているスリットが変形している状態を示す。
【図９】表示部材の回動状態を部分的に拡大して示す概略斜視図であって、表示部材と装置本体とが離間している状態を示す。
【図１０】表示部材の回動状態を部分的に拡大して示す概略斜視図であって、表示部材と装置本体とが近接している状態を示す。
【図１１】図９のXI−XI断面図を示す。
【図１２】図９のXII-XII断面図を示す。
【図１３】図１０のXIII−XIII断面図で、表示部材と装置本体とが近接している状態を示す。
【図１４】（ａ）は図１３の矢印Ａ方向から見た状態の概略図、（ｂ）は図１２の矢印Ａ方向から見た状態の概略図である。
【発明を実施するための形態】
【００１１】
以下、本発明の一実施形態に係る遊技用装置について、添付図面を参照しつつ説明する。
本実施形態では、図１に示すように、遊技媒体としての遊技球が転動流下することによって種々の遊技を行なうことが可能なパチンコ遊技機に隣接して備えられる台間装置を本発明遊技用装置の実施の一形態として説明する。図中符号１は遊技機、符号３７は台間装置（遊技用装置）を示す。
なお、本発明において遊技媒体とは、パチンコ遊技機に用いられる遊技球や、パチスロ遊技機、スロットマシン機及びルーレットマシン機等のゲーミングマシンなどに用いられるメダルなどの遊技媒体全般を言うものとする。
【００１２】
例えば、本実施形態にて図示した遊技機１は、遊技球が転動流下可能な遊技領域を有する遊技盤が着脱可能に設けられた本体枠３と、遊技盤を視認可能な開口部７（以下、表枠開口部という）が設けられ、本体枠３の前方（遊技者と対峙（対向）する側）において当該本体枠３により回動可能に軸支された前面扉（表枠）５と、本体枠３の後方（反遊技者対峙（対向）側）において当該本体枠３により回動可能に支持された図示しない後枠とを備え、前記本体枠３に備えられる本体枠構成部材（各種制御基板・中継基板など）と、前記前面扉（表枠）５に備えられる表枠構成部材と、前記後枠に備えられている図示しない表示部材とを含んで構成されている。
【００１３】
本実施形態に係る遊技機は、外枠１１を介して島設備（図示しない）に取り付けられており、その状態において、上記した本体枠３は、本体枠ヒンジを介して外枠１１に回動可能に支持されている。
そして、遊技機１に隣接して前記本実施形態の台間装置３７が備えられており、この台間装置３７に案内装置（各台計数装置）３５が接続されている。
前記案内装置（各台計数装置）３５は、遊技機１の皿ユニット１５の下皿１９の下方に備えられ、遊技機１の下皿１９から案内装置３５の案内皿４１に落下した遊技球は、案内装置３５内に設けられた計数用通路４７を介して、台間装置３７の計数用投入口（図示省略）に投入されて計数装置（計数ユニット）によって計数される。
表枠構成部材には、例えば、透明板ユニット１３、皿ユニット１５、操作ユニット３３、各種装飾部材（トップ飾り２１、右側装飾部材２３、左側装飾部材２５）、遊技球を発射するための発射装置２７などがある。
【００１４】
前面扉（表枠）５において、上記した表枠開口部７には、透過性を有する透明板ユニット１３（保護ガラスともいう）が設けられている。
透明板ユニット１３は、例えば、前面扉（表枠）５に設けた表枠開口部（窓部）７に対して、前面扉（表枠）５の裏面側（背面側）から着脱自在に取り付けられており、当該前面扉（表枠）５を本体枠３に対して閉じた状態において、遊技盤の表面（前面）側に対向し、かつその表面（前面）側を覆うように構成されている。
【００１５】
さらに、前面扉（表枠）５の表面（前面）には、表枠開口部７の下側に、皿ユニット１５が設けられており、当該皿ユニット１５は、貸出球や賞球を貯留するための上皿１７と、上皿１７の下方側に設けられ、例えば上皿１７が満杯時に溢れた遊技球などを貯留することが可能な下皿１９とが設けられている。
【００１６】
また、上皿１７には、球貸しを受けるための球貸ボタン２９、台間装置３７からカードを返却するための返却ボタン３１などのほか、所定の遊技中に遊技者が操作（回転操作、押圧操作）することで各種演出の表示態様に変化を与えるための操作ユニット３３が設けられている。なお、操作ユニット３３の配置構成（位置、向き）について、特に制限はないが、図面では一例として、上皿１７から垂直方向に突出させて構成配置されている。
【００１７】
台間装置３７は、前面部３９と筐体８１とから構成される台間装置本体（装置本体）６３と、台間装置本体６３の表示部材受け部１０９に備えられる表示部材（タッチパネルＬＣＤ）５３と、表示部材５３の下位に備えられ、遊技機１の上皿１７へと遊技球を排出する球案内ノズル部４５とで構成されている（図１乃至図３参照。）。
【００１８】
前面部３９は、鉛直方向で上方から、フロント上部４１、フロント中部４３、球案内ノズル部４５、フロント下部４７で構成されている。
フロント上部４１には、状態表示灯４９、紙幣を投入可能な紙幣投入口５１が備えられ、フロント中部４３には、表示部材５３、カメラ部５５が備えられ、フロント下部４７には、非接触ＩＣカードリーダライタ５７、スピーカカバー５９、カード挿入口６１が備えられている。
【００１９】
台間装置３７は、スイッチングハブやコントローラ等を介してサーバ装置と接続されており、遊技者によりカードが挿入されると、当該カードのＩＣチップ等に付加されたカードＩＤや会員ＩＤ等の識別情報（以下、単に「識別情報」という。）を図示しないサーバ装置に送信し、サーバ装置は、受信した識別情報に対応付けて記憶されたその遊技者の持玉情報（遊技情報）を台間装置３７に送信し、その持玉情報を表示部材５３にて表示する。
そして、遊技者からの払出指示がある場合には、サーバ装置は、持玉情報を更新し、台間装置３７は、払出装置を駆動させ、遊技球の払出制御を実行する。また、遊技者により紙幣が投入されると、その紙幣の額（投入金額）に応じた残額情報をサーバ装置に送信する。そして、遊技者からの払出指示がある場合には、サーバ装置は、残額情報を更新し、台間装置３７は、同様に遊技球の払出制御を実行する。
本発明は、表示部材５３と表示部材受け部１０９の構造に特徴的な技術的手段を講じているものであるため、以下、表示部材５３と表示部材受け部１０９について中心に述べ、その他の構造についての説明は省略する。
【００２０】
表示部材５３は、前記台間装置本体６３から突出して備えられた表示部材受け部１０９に対し、鉛直方向の上部軸支構造１２３と下部軸支構造１２５を介して回動可能に備えられている（図５参照。）。
【００２１】
表示部材５３は、薄肉の全体矩形状に形成されており、所定の窓部６８が形成されており、所定幅の上面壁部６７、側面壁部６９、及び下面壁部７１とを備えた枠状の表面部材７３と、表面部材７３の後側に一体に取り付けられる略平板状の背面部材（第１のカバー部）７５とによって、所定の内部収容空間を形成している薄肉箱状に形成された本体部７７と、前記窓部６８から前面側を臨ませて前記本体部７７の内部収容空間に収容されるモニター部７９と、モニター部７９の背面側、すなわち、モニター部７９と背面部材７５との間に収容される基板８１とを備えて構成されている（図５、図１１乃至図１３参照。）。
【００２２】
基板８１と背面部材７５との間には、基板８１の背面を保護（又は固定）するための透明樹脂製の保護カバー８３が備えられており、基板８１とモニター部７９との間には基板８１とモニター部７９を表面部材７３に固定するためのベース部材８２が備えられている（図１１乃至図１３参照。）。
保護カバー８３と前記したベース部材８２とには、締結部材（例えばネジ）止めするための図示しない挿通孔が設けられており、各々の挿通孔と表面部材７３に設けられた図示しない締結用の挿通部（孔、又はネジ孔）に締結部材を挿通することによって、表面部材７３に基板８１とモニター部７９とが固定される。
【００２３】
なお、保護カバー８３とベース部材８２は樹脂製（非電導）であり、基板８１又はモニター部７９から発生する静電気が各々の動作に影響を与えないようにすることも考慮され、基板８１は保護カバー８３とベース部材８２とによって周囲（又は全面）を保護されているとも表現することが可能であるが、保護カバー８３は基板８１を完全に密封していても良いし、完全に密封せず保護カバー８３に所定の孔部を設けていても良い。
保護カバー８３に所定の孔部（保護カバー８３の孔部を通して基板が触れる程度）を設けていれば基板８１の熱を排熱することも可能である。本実施形態では、保護カバー８３に孔部（通孔）８３ａを設けており、基板８１の排熱機能とともに、基板８１に接続されるハーネス等の配線部材８５を背面部材７５側に案内する機能をも兼ねている。
また、上記では、ベース部材８２を設けた場合について説明したが、基板８１とモニター部７９とは接触していても良いし、近接していても良い。いすれの部材もベース部材８２を介して表面部材７３に固定されていると記載したが、ベース部材８２を介さず表面部材７３に固定されていても良いし、保護カバー８３に固定されていても良い。
また、表面部材７３と本体部７７とは、一体に形成されていても良い。よって、表面部材７３を本体部７７として実施しても良い。
【００２４】
背面部材７５には、配線部材８５を通過可能（挿通可能）とする第二通孔（開放領域）８７を有するとともに、第二通孔８７を覆い、通過する配線部材８５を外部から遮蔽可能とする突出部（配線カバー部）８９を備えており、突出部８９は、表示部材５３の回動作動にしたがって、後述する後カバー部９９の突出部出没孔１００ａ内を出没可能に構成されている。
【００２５】
本実施形態において突出部８９は、背面部材７５の所定位置から一体に膨出するように突設され、前記第二通孔８７を背面部材７５の一側（本実施形態では、軸支構造側）寄りに向けて開放状に設けている（図９乃至図１３参照。）。
【００２６】
本実施形態の突出部８９は、表示部材５３の回動軌道Ｓ１と同じように円弧状に背面部材７５から一体に立ち上げ形成される湾曲板状の第一面部８９ａと、第一面部８９ａの両側縁と背面部材７５との間で、略１／４円板形状をもってそれぞれ架け渡される左右の第二面部８９ｂとで構成され、第一面部８９ａと左右の第二面部８９ｂで囲まれた空間１０２に配線部材８５が収容される（図９乃至図１３参照。）。
また、突出部８９の前面部（後カバー部９９内方に対向する面部）と下面部（表示部材５３内方に対向する面部）は開放されている。そして、前面部（後カバー部９９内に対向する面部）は、全域が開放されているのではなく、表面部材７３の側面壁部６９と第一面部８９ａの上端領域８９ａ１の先端部との間で形成される隙間領域が第二通孔８７として開放されており、この第二通孔８７を介して配線部材８５が引き出されている（図９、図１０、図１２乃至図１４参照。）。
【００２７】
また、突出部８９の大きさは、表示装置５３の開いた状態の時（図９及び図１２に示す表示部材５３と台間装置本体６３とが離間している状態の時）には、第一面部８９ａの上端領域８９ａ１が、後カバー部９９の突出部出没孔１００ａの内壁面１００ｂに当接し、一方、表示装置５３の閉じた状態の時（図１０及び図１３に示す表示部材５３と台間装置本体６３とが近接している状態の時）には、第一面部８９ａの下端領域８９ａ２が後カバー部９９の突出部出没孔１００ａの開口縁１００ｃに当接して、表示装置５５の回動作動が規制される程度の大きさとする（図１２及び図１３参照。）。
【００２８】
上述のように構成されることにより、湾曲板状の第一面部８９ａと、第一面部８９ａの両側縁から背面部材７５にわたって形成される第二面部８９ｂとで構成された突出部８９の空間１０２に配線部材８５が案内収容され、配線部材８５は、突出部８９と側面壁部６９とで形成された第二通孔８７を介して前カバー９７と後カバー部９９で形成されている空間領域へと案内されるため、表示部材８５の回動作動時において、配線部材８５が潰されたり、噛んだりする虞もない。
【００２９】
表面部材７３の一側の上面には、表示部材受け部１０９に設けられている軸受け用上孔部１１７とともに上部軸支構造１２３を構成する上軸部９１が一体に突設されている。
また、表面部材７３の一側の下面には、表示部材受け部１０９を介して回動可能に軸支する下軸部（軸部材）１２１とともに下部軸支構造１２５を構成する軸受け用下孔部９３が設けられている。
【００３０】
また、本実施形態では、表面部材７３の一側の下面で、前記軸受け用下孔部９３の近傍にてガイド軸９５を突出して一体に設けている。ガイド軸９５は、後述する係止部材１４５に嵌って移動する軸部材で、係止部材１４５の保持孔１４９に嵌って移動可能に備えられる。
【００３１】
フロント中部４３は、前カバー部９７と、前カバー部９７と着脱可能な後カバー部（第２のカバー部）９９とで一体に構成されており、鉛直方向で上方にカメラ部５５が設けられ、カメラ部５５の下方に表示部材受け部１０９が設けられている。
【００３２】
また、本実施形態では、この前カバー部９７に第一係止部１０１と第二係止部１０３が設けられており、一方、後カバー部９９には、前記第一係止部１０１と第二係止部１０３にそれぞれ着脱可能に係止される第一被係止部１０５と第二被係止部１０７とが設けられている（図１１乃至図１３参照。）。
なお、着脱可能な係止構造は本実施形態に限らず本発明の範囲内で設計変更可能である。
また、後カバー部９９の前端面部１００には、前記表示装置５３の突出部８９が出没可能な矩形状の突出部出没孔１００ａが形成されている。
【００３３】
表示部材受け部１０９は、前カバー部９７の鉛直方向で上方に設けられているカメラ部５５の窓部５５ａの下方に設けられており、鉛直方向で上方に設けられた上側受け部１１１と、鉛直方向下方に備えられている球案内ノズル部４５の上カバー１１５上に設けた下側受け部１１３を少なくとも有して構成されている。
【００３４】
上側受け部１１１は、前カバー部９７の前面から突出し、前記表示部材５３の上軸部９１を回動可能に収納する軸受け用孔部１１７が設けられている。
下側受け部１１３は、前カバー部９７の前面から突出し、前記表示部材５３の一側の下端に設けられた軸受け用下孔部９３と連通し、下軸部（軸部材）１２１が挿通される第二軸受け用孔部１３９が設けられている。
【００３５】
下軸部（軸部材）１２１は、薄肉円板状に形成された係止板部１２７と、係止板部１２７上に一体に設けられ、係止板部１２７よりも小径な円柱軸部１２９と、円柱軸部１２９上に一体に設けられ、円柱軸部１２９よりも短尺小径な係止軸部１３１と、係止軸部１３１上に一体に設けられ、係止軸部１３１よりも大径の抜け止め部１３３とで構成されている。
【００３６】
係止板部１２７は、板部の外面側に薄肉矩形状の脱落防止部材１３５を一体に備え、係止板部１２７は、下側受け部１１３の外面に設けられた係止板部収容領域１３７に収められる。
そして、下側受け部１１３の第二軸受け用孔部１３９を介して突出した係止部材には、例えばｅリングなどの抜け止め部材１４１を嵌めて下軸部（軸部材）の１２１の抜け止め防止を図っている。
【００３７】
また、本実施形態では、前記表示部材受け部１０９の下方にて、前記台間装置本体６３から突出して備えられている球案内ノズル部４５の上カバー（所定の突出部）１１５と、前記表示部材受け部１０９との間に形成される隙間１４３の鉛直方向幅と、下軸部（軸部材）１２１の鉛直方向の長さとを調整している。
すなわち、下軸部（軸部材）１２１の鉛直方向の長さをＬ１とし、前記表示部材受け部１０９の下方にて、前記台間装置本体６３から突出して備えられている球案内ノズル部４５の上カバー（所定の突出部）１１５と、前記表示部材受け部１０９との間に形成される隙間１４３の鉛直方向幅をＬ２としたときに、Ｌ１で示す長さの方がＬ２で示す幅よりも長く構成した関係を有するように構成されている（Ｌ１＞Ｌ２の関係ともいう。）。
【００３８】
なお、本実施形態では、球案内ノズル部４５の上カバー１１５を突出部として想定しているが、突出部は仕様に応じて適宜設計変更可能であって特に限定解釈されるものではない。また、本実施形態では、上カバー１１５を取り外し可能に構成している。
【００３９】
このようにＬ１で示す長さの方がＬ２で示す幅よりも長く構成した関係を有するように構成しているため、球案内ノズル部４５の上カバー（所定の突出部）１１５と表示部材受け部１０９との間に形成される隙間１４３の鉛直方向幅Ｌ２よりも、下軸部（軸部材）１２１の長さＬ１のほうが長いため、例えば何らかの要因でｅリング１４１などが不意に外れたとしても下軸部（軸部材）１２１が落下してしまうという不具合もない。
なお、隙間Ｌ２の鉛直方向幅は、本実施形態にて図示した幅に限定されるものではなく、下軸部（軸部材）１２１が脱落しない程度の幅を有するように構成されていればよく、本発明の範囲内で任意に設計変更可能である。
また、上述のような構成を採用していることから、不正遊技者が不正目的で前記軸部材１２１を抜こうとする操作を未然に防止することもできる。
そして、表示部材５３のメンテナンス時などには、球案内ノズル部４５の上カバー１１５を取り外せば、軸部材１２１を抜いて表示部材を簡単に取り外すことができる。
【００４０】
また、本実施形態では、後カバー部９９の突出片部９９ａによって隙間を埋めて不正防止を図っている（図９参照。）
【００４１】
本実施形態の表示部材５３は、係止部材１４５を介して段階的に回動可能・所定位置で保持可能に構成されている（図３、図７及び図８参照。）。
【００４２】
係止部材１４５は、下側受け部１１３上、すなわち、表示部材５３と下側受け部１１３との間に組み込まれ、表示部材５３のガイド軸９５が嵌った状態で移動し、所定位置でその状態を保持可能な保持部１４７を備えている（図３、図７及び図８参照。）。
【００４３】
保持部１４７は、薄肉平板状に形成されるとともに、ガイド軸９５と略同一径若しくは少し大径とした平面視で円形状の複数個の保持孔１４９と、隣接する保持孔１４９間に備えられ、相対向して備えられる各突起部１５１とによって一連の長尺連続溝状に形成されている。本実施形態では、前記保持部１４７は、前記上部軸支構造１２３と下部軸支構造１２５を介して回動する表示部材５３の軌跡に対応したアーチ状に形成されている（図７及び図８参照。）。
【００４４】
前記保持孔１４９は、前記ガイド軸９５が収容可能な孔径を有する短尺筒状に形成され、連続溝方向に第一の保持孔１４９ａ、第二の保持孔１４９ｂ、第三の保持孔１４９ｃ、第四の保持孔１４９ｄ、そして第五の保持孔１４９ｅの計５個の保持孔が形成されている（図７及び図８参照。）。
前記相対向する突起部１５１間の隙間１５３は、前記ガイド軸９５の最大径よりも小径に形成され、前記隙間１５３を前記ガイド軸９５が押し広げつつ隣の保持孔１４９へと移動可能な隙間幅に形成されている（図７及び図８参照。）。
なお、保持孔１４９・突起部１５１間の隙間は、特に限定解釈されるものではなく、配設数・隙間間隔などは本発明の範囲内で設計変更可能である。
【００４５】
本実施形態では、保持部１４７に沿って伸縮スリット１５５が設けられ、前記ガイド軸９５が相対向する突起部１５１間の隙間１５３を押し広げつつ隣の保持孔１４９へと移動する際の力を分散させるようにしている（図７及び図８参照。）。
【００４６】
本実施形態によれば、保持部１４７を挟んで両側に伸縮スリット１５５が設けられており、ガイド軸９５が突起部１５１間の隙間１５３を押し広げつつ移動しても、この押し広げる力によって伸縮するスペースが十分に確保できるため、係止部材１４５の耐久性を向上させることが可能である。また、保持部１４７の溝形状を表示部材５３の回動するアーチ状の軌跡に合わせてアーチ状にするとともに、その保持部１４７を挟んで保持部１４７の溝形状と同じように形成・配設する構成を採用しているため、力の分散効率に優れている。
なお、伸縮スリット１５５の形状・配設数などは本実施形態に限定されず、上記力の分散が効率よく行なえるのが好ましいが、本発明の範囲内で設計変更可能である。
【００４７】
また、本実施形態では、伸縮スリット１５５の間にブリッジ部１６３を設けているため、伸縮スリット１５５を押し潰す方向に力が掛かっても強度面を向上する。図中矢印Ａ１が力の掛かる方向を示す（図８参照。）。
【００４８】
図７は、ガイド軸９５と保持部１４７との関係を示す概略図で、（ａ）は保持部１４７に設けられた第一の保持孔１４９ａにガイド軸９５が保持されている状態を示し、（ｂ）は隣り合う第一の保持孔１４９ａと第二の保持孔１４９ｂとの間に存する第一の突起部１５１間の隙間１５３を、ガイド軸９５が押し広げつつ第二の保持孔１４９ｂへと移動し、かつ保持部１４７にそって設けられている伸縮スリット１５５が第一の状態（力が掛かっていない自然状態）１５７から第二の状態（力が作用し押し潰されている状態）１５９に変形している状態を示す。
【００４９】
すなわち、本実施形態によれば、図７（ａ）の状態では、表示部材５３が最も遊技者の方向に向く（モニター部７９が最も遊技者の方向に向く）ように回動し、第一の保持孔１４９ａにガイド軸９５が保持されている状態であり、この状態となったときに、表示装置５３は、台間装置本体６３の幅内に位置するように備えられる。
なお、表示部材５３が最も遊技者の方向に向いた状態とは、表示部５３やモニター部７９が最も遊技機の方向へ向いた状態であってもよい。また、表示部５３が移動（又は回動）することによってモニター部７９の視認性が変化するように構成されていることを想定しているが、これに限られるものではなく、表示部５３の移動に加えてモニター部７９が移動（又は回動）可能であってもよい。このように表示部５３の移動に加えてモニター部７９が移動することで視認性をさらに変化させることも可能となるため、遊技者が最も見やすい位置に調整する（又は、目的にあった視認性を提供する）ことが可能となる。
【００５０】
また、本実施形態では、係止部材１４５の一側面１４５ａを傾斜状に形成しているため、表示部材５３を取り付ける際にこの傾斜状の一側面１４５ａがガイド面（案内面）となって表示部材５３を取り付け案内できるため、取り付け性が容易かつ向上する（図６参照。）。
【００５１】
従って、表示部材５３は、上端の上軸部９１を軸受け用孔部１１７に差込収容し、そして、表示部材５３の下端を前記係止部材１４５の傾斜上の一側面１４５ａに沿って押し込むとともに、下側受け部１１３の第二軸受け用孔部１３９と、係止部材１４５の第三軸受け用孔部１６０と、表示部材５３の軸受け用下孔部１１７とを連通させた状態で、前記第二軸受け用孔部１３９の外方から下軸部（軸部材）１２１を挿通する。
このとき、ガイド軸９５は、係止部材１４５の保持部１４７における所定の保持孔（例えば第一の保持孔１４９ａ）に嵌め込まれる。
【００５２】
そして、下軸部（軸部材）１２１の係止軸部１３１と抜け止め部１３３が表示部材５３内に突出し、係止軸部１３１にｅリング１４１を係止させる。
また、表示部材５３内の基板８１に連結されているハーネスなどの配線部材８５は、背面部材７５の第二通孔８７からフロント中部４３の内方へと案内される。このとき、配線部材８５などは、背面部材７５に設けたカバー部８９によって外部と遮蔽されているため、不正遊技者などが配線部材８５などに不正を加えようとすることを阻止できる。
【００５３】
そして、表示部材５３を所定の位置になるように回動させると、表示部材５３の回動動作に応じて、ガイド軸９５が所定の保持孔１４９（例えば第一の保持孔１４９ａ）から保持部１４７の連続溝方向に位置する所定の他の保持孔（例えば第二の保持孔１４９ｂ）へと移動して、その保持孔（例えば第二の保持孔１４９ｂ）内に保持されることによって、表示部材５３は所定角度に回動した状態で保持される。
すなわち、ガイド軸９５は、保持孔（例えば第一の保持孔１４９ａ）から保持孔（例えば第二の保持孔１４９ｂ）へと移動する際に、突起部１５１間の隙間１５３をガイド軸９５が押し広げつつ移動するため、ガイド軸９５がその突起部１５１間の隙間１５３を通過すれば、突起部１５１間の隙間１５３幅がガイド軸９５の最大径よりも小径であるため、表示部材５３の回動方向への所定の力が掛からない限りその保持孔（例えば第二の保持孔１４９ｂ）内にガイド軸９５が保持される。よって、表示部材５３の移動は制限される。このとき、ガイド軸９５が突起部１５１間の隙間１５３を押し広げる力が発生するが、伸縮スリット１５５によって吸収することができる。
【００５４】
本発明は遊技用装置、例えば、パチンコ機やスロットマシン機等の遊技機に隣接して配設され、遊技情報などを表示可能な表示部材を少なくとも備えてなる台間装置（各台対応装置、台間玉貸機ともいう。）などの遊技用装置に関する。
【００５５】
従来、台間装置などの遊技用装置としては、特許文献１に開示のものが提案されており、球数等の遊技情報や遊技場のイベント情報などの遊技情報を表示可能なモニターなどの表示部材が設けられている。
【特許文献１】特開２０１１−１０４１１２号公報
【００５６】
近年、視認性の向上や、隣接する遊技機との干渉を避けることから、上記した表示部材を可動するように台間装置本体に軸支して備えたものが存在している。
【００５７】
このような場合において、表示部材の軸支構造をしっかりとした構造とすると、メンテナンス時などに表示部材を取り外すことが困難となってしまうということに鑑みて簡易な軸支構造を採用しているものが多いため、表示部材の可動操作回数が増えれば、表示部材を回動可能に軸支している部分に負荷が掛り、軸部材の脱落などが生じ、結果的に表示部材が落下するような事態が生じ易くなることも考えられる。
【００５８】
本発明は、このような問題を解決するためになされており、その目的は、簡易な可動構造で表示部材を移動可能とした、遊技場に有益な遊技用装置を提供することにある。
【００５９】
このような目的を達成するために、第１の発明は、装置本体（台間装置本体６３）に表示部材５３を少なくとも備えてなる遊技用装置（台間装置）であって、表示部材５３は、前記装置本体（台間装置本体６３）から突出して備えられた表示部材受け部１０９に対し、鉛直方向の上部軸支構造１２３と下部軸支構造１２５を介して回動可能に備えられており、少なくとも、前記下部軸支構造１２５は、前記表示部材受け部１０９の下面から、前記表示部材５３の下端に向けて鉛直方向に差し込まれる軸部材１２１を有し、前記軸部材１２１の鉛直方向の長さをＬ１とし、前記表示部材受け部１０９の下方にて、前記装置本体（台間装置本体６３）から突出して備えられている取り外し可能な所定の突出部（球案内ノズル部４５の上カバー１１５）と、前記表示部材受け部１０９との間に形成される隙間１４３の鉛直方向幅をＬ２としたときに、前記Ｌ１の長さの方が、前記Ｌ２の幅よりも長いことを特徴とする遊技用装置としたことである。
【００６０】
第１の発明によれば、前記軸部材１２１の鉛直方向の長さ（Ｌ１）と、前記表示部材受け部１０９の下方にて、前記装置本体（台間装置本体６３）から突出して備えられている所定の突出部（球案内ノズル部４５の上カバー１１５）と、前記表示部材受け部１０９との間に形成される隙間１４３の鉛直方向幅（Ｌ２）との関係を、前記Ｌ１の長さの方が、前記Ｌ２の幅よりも長いとの関係としたため、簡単な軸支構造であっても軸部材１２１が抜け落ちて表示部材５３が落下してしまうといった不具合が生じ難い。
また、不正遊技者が不正目的で前記軸部材１２１を抜こうとする操作を未然に防止することもできる。
そして、表示部材５３のメンテナンス時などには、所定の突出部（球案内ノズル部４５の上カバー１１５）を取り外せば、軸部材１２１を抜いて表示部材を簡単に取り外すことができる。
【００６１】
本発明によれば、簡易な可動構造で表示部材を移動可能とした、遊技場に有益な遊技用装置を提供し得た。
【００６２】
本発明は遊技用装置、例えば、パチンコ機やスロットマシン機等の遊技機に隣接して配設され、遊技情報などを表示可能な表示部材を少なくとも備えてなる台間装置（各台対応装置、台間玉貸機ともいう。）などの遊技用装置に関する。
【００６３】
従来、台間装置などの遊技用装置としては、特許文献１に開示のものが提案されており、球数等の遊技情報や遊技場のイベント情報などの遊技情報を表示可能なモニターなどの表示部材が設けられている。
【特許文献１】特開２０１１−１０４１１２号公報
【００６４】
近年、視認性の向上や、隣接する遊技機との干渉を避けることから、上記した表示部材を遊技者側に向けて傾斜状に配設するものが存在している。このようにすることで、広い視認領域が確保できつつも、隣接する遊技機との干渉を避けることができる。
【００６５】
しかし、遊技者によって表示部材の視認良好性が異なり、表示装置が可動することが望まれており、昨今、表示部材が可動し得るように構成されているものも提案されている。
このような可動する表示部材は、一側を単に軸支しただけで遊技者が自由に可動させて所定位置で止めて使用するものであったため、所定位置での保持ができていなかった。
また、表示装置の可動機構を、モータやギア部材などを用いた機械的な駆動機構を介して行なうものもあったが、遊技設備全体のコストが高騰する虞があり、かつメンテナンス手間も掛る虞があった。
【００６６】
本発明は、この問題を解決するためになされており、その目的は、簡易な可動構造で表示部材を移動可能かつ所定位置で保持可能とした、遊技場に有益な遊技用装置を提供することにある。
【００６７】
このような目的を達成するために、第１の発明は、装置本体（台間装置本体６３）に表示部材５３を少なくとも備えてなる遊技用装置（台間装置３７）であって、表示部材５３は、前記装置本体（台間装置本体６３）から突出して備えられた表示部材受け部１０９に対し、鉛直方向の上部軸支構造１２３と下部軸支構造１２５を介して回動可能に備えられており、前記表示部材５３の下端には、ガイド軸９５が突設され、前記表示部材受け部１０９の下端内面には、前記ガイド軸９５が移動可能な保持部１４７を設けた係止部材１４５が備えられており、前記保持部１４７は、前記複数個の保持孔１４９（第一の保持孔１４９ａ、第二の保持孔１４９ｂ、第三の保持孔１４９ｃ、第四の保持孔１４９ｄ、第五の保持孔１４９ｅ）と前記各突起部１５１とによって一連の長尺連続溝状に形成されており、前記保持部１４７は、前記上部軸支構造１２３と前記下部軸支構造１２５を介して回動する表示部材５３の軌跡に対応したアーチ状に形成され、前記保持孔１４９は、前記ガイド軸９５が収容可能な孔径を有する短尺筒状に形成され、前記相対向する突起部１５１間の隙間１５３は、前記ガイド軸９５し広げつつ隣の保持孔１４９へと移動可能な隙間幅に形成されていることを特徴とする遊技用装置（台間装置）としたことである
【００６８】
第１の発明によれば、表示部材５３の回動動作に応じて、ガイド軸９５が所定の保持孔１４９（例えば第一の保持孔１４９ａ）から連続溝方向に位置する所定の他の保持孔１４９（例えば第二の保持孔１４９ｂ）へと移動して、その保持孔（例えば第二の保持孔１４９ｂ）内に保持されることによって、表示部材５３は所定角度に回動した状態で保持される。
すなわち、ガイド軸９５は、保持孔（例えば第一の保持孔１４９ａ）から保持孔（例えば第二の保持孔１４９ｂ）へと移動する際に、突起部１５１間の隙間１５３をガイド軸９５が押し広げつつ移動するため、ガイド軸９５がその突起部１５１間の隙間１５３を通過すれば、突起部１５１間の隙間１５３幅がガイド軸９５の最大径よりも小径であるため、回動方向への所定の力がかからない限りその保持孔１４９内にガイド軸９５が保持される。よって、表示部材５３の移動は制限される。
また、保持孔（例えば第一の保持孔１４９ａ）から保持孔（例えば第二の保持孔１４９ｂ）へとガイド軸９５が移動する際に、突起部１５１間の隙間１５３を弾性に抗して押し広げようとする力が働く。
【００６９】
第２の発明は、第１の発明において、前記保持部１４７に沿って伸縮スリット１５５が設けられていることを特徴とする遊技用装置としたことである。
【００７０】
第２の発明によれば、保持孔（例えば第一の保持孔１４９ａ）から保持孔（例えば第二の保持孔１４９ｂ）へとガイド軸９５が移動する際に、突起部１５１間の隙間１５３を押し広げようとする力が働くが、そのような力を伸縮スリット１５５によって吸収することができ、係止部材１４５の損傷などを防止することができる。
【００７１】
本発明によれば、簡易な可動構造で表示部材を移動可能かつ所定位置で保持可能とした、遊技場に有益な遊技用装置を提供し得た。
【００７２】
本発明は遊技用装置、例えば、パチンコ機やスロットマシン機等の遊技機に隣接して配設され、遊技情報などを表示可能な表示部材を少なくとも備えてなる台間装置（各台対応装置、台間玉貸機ともいう。）などの遊技用装置に関する。
【００７３】
従来、台間装置などの遊技用装置としては、特許文献１に開示のものが提案されており、球数等の遊技情報や遊技場のイベント情報などの遊技情報を表示可能なモニターなどの表示部材が設けられている。
【特許文献１】特開２０１１−１０４１１２号公報
【００７４】
近年、視認性の向上や、隣接する遊技機との干渉を避けることから、上記した表示部材を遊技者側に向けて傾斜状に配設するものが存在している。このようにすることで、広い視認領域が確保できつつも、隣接する遊技機との干渉を避けることができる。
【００７５】
しかし、遊技者によって表示部材の視認良好性が異なり、表示装置が可動することが望まれており、昨今、表示部材が可動し得るように構成されているものも提案されている。
ところで、この表示部材は、所定の遊技情報などを電気的に表示するようにＬＥＤ基板などを配設した構造を採用しており、所定のハーネスなどの配線構造が表示部材側から台間装置本体側へとわたって配されることとなる。
このような電気的な配線構造などが外部に露呈してしまうようなことがあると、不正遊技者などによる悪質な操作や悪戯などを招く虞がある。
【００７６】
本発明は、この問題を解決するためになされており、その目的は、可動するように配設した表示部材の配線構造を、簡易かつ安価な構造で外部から視認不可能とした遊技用装置を提供することにある。
【００７７】
このような目的を達成するために、第１の発明は、装置本体（台間装置本体６３）に表示部材５３を少なくとも備えてなる遊技用装置（台間装置３７）であって、表示部材５３は、前記装置本体（台間装置本体６３）から突出して備えられた表示部材受け部１０９に対し、鉛直方向の上部軸支構造１２３と下部軸支構造１２５を介して回動可能に備えられており、前記表示部材５３と前記台間装置本体６３との間には、表示部材５３側に設けられた第１のカバー部（背面部材７５）と、装置本体（台間装置本体６３）側に設けられた第２のカバー部（後カバー部９９）とが備えられ、前記第１のカバー部（背面部材７５）には、円弧形状の突出部（配線カバー部８９）が設けられ、前記表示部材５３と前記装置本体（台間装置本体６３）との間にわたって配設される配線構造（ハーネス８５等）は、前記突出部（配線カバー部８９）を挿通可能であり、前記表示部材５３と前記装置本体（台間装置本体６３）とが近接している場合には前記突出部（配線カバー部８９）の少なくとも一部が前記第２のカバー部（後カバー部９９）内に入り込み、前記表示部材５３と前記装置本体（台間装置本体６３）とが離間している場合には、前記配線構造（ハーネス８５）が前記突出部（配線カバー部８９）によって視認不可能となることを特徴とする遊技用装置（台間装置）としたことである。
【００７８】
第１の発明によれば、突出部（カバー部８９）により配線構造（ハーネス８５）が外部から視認不可能となるため不正遊技者等による不正行為を未然に防止することができる。
【００７９】
第２の発明は、第１の発明において、前記突出部（配線カバー部８９）は、前記表示部材５３の回動軌道に対応する円弧形状であることを特徴とする遊技用装置としたことである。
【００８０】
第２の発明によれば、前記突出部（配線カバー部８９）が、前記表示部材５３の回動軌道に対応する円弧形状を有し、その突出部（配線カバー部８９）内を配線構造（ハーネス８５）が挿通可能であるため、表示部材５３の回動作動時において、配線部材（ハーネス８５等）が潰されたりする虞もない。
【００８１】
本発明によれば、可動するように配設した表示部材の配線構造を、簡易かつ安価な構造で外部から視認不可能とした遊技用装置を提供し得た。
【００８２】
本発明は遊技用装置、例えば、パチンコ機やスロットマシン機等の遊技機に隣接して配設され、遊技情報などを表示可能な表示部材を少なくとも備えてなる台間装置（各台対応装置、台間玉貸機ともいう。）などの遊技用装置に関する。
【００８３】
従来、台間装置などの遊技用装置としては、特許文献１に開示のものが提案されており、球数等の遊技情報や遊技場のイベント情報などの遊技情報を表示可能なモニターなどの表示部材が設けられている。
【特許文献１】登録実用新案第３０３６６０６号公報
【００８４】
しかし、特許文献１に開示の先行技術にあっては、表示部材は位置が固定されていることから、遊技者の体格や着座姿勢など、あるいはホールの照明や遊技機の装飾部材などの光の影響などによっては、表示部材が遊技者から見づらいということがある。
【００８５】
本発明は、このような問題を解決するためになされており、その目的は、遊技者の利便性の向上を図り得る遊技用装置を提供することにある。
【００８６】
このような目的を達成するために、第１の発明は、装置本体（台間装置本体６３）に表示部材５３を少なくとも備えてなる遊技用装置（台間装置）であって、表示部材５３は、前記装置本体（台間装置本体６３）から突出して備えられた表示部材受け部１０９に対し、鉛直方向の上部軸支構造１２３と下部軸支構造１２５を介して回動可能に備えられており、少なくとも、前記下部軸支構造１２５は、前記表示部材受け部１０９の下面から、前記表示部材５３の下端に向けて鉛直方向に差し込まれる軸部材１２１を有し、前記軸部材１２１の鉛直方向の長さをＬ１とし、前記表示部材受け部１０９の下方にて、前記装置本体（台間装置本体６３）から突出して備えられている取り外し可能な所定の突出部（球案内ノズル部４５の上カバー１１５）と、前記表示部材受け部１０９との間に形成される隙間１４３の鉛直方向幅をＬ２としたときに、前記Ｌ１の長さの方が、前記Ｌ２の幅よりも長いことを特徴とする遊技用装置としたことである。
【００８７】
第１の発明によれば、前記軸部材１２１の鉛直方向の長さ（Ｌ１）と、前記表示部材受け部１０９の下方にて、前記装置本体（台間装置本体６３）から突出して備えられている所定の突出部（球案内ノズル部４５の上カバー１１５）と、前記表示部材受け部１０９との間に形成される隙間１４３の鉛直方向幅（Ｌ２）との関係を、前記Ｌ１の長さの方が、前記Ｌ２の幅よりも長いとの関係としたため、簡単な軸支構造であっても軸部材１２１が抜け落ちて表示部材５３が落下してしまうといった不具合が生じ難い。
また、不正遊技者が不正目的で前記軸部材１２１を抜こうとする操作を未然に防止することもできる。
そして、表示部材５３のメンテナンス時などには、所定の突出部（球案内ノズル部４５の上カバー１１５）を取り外せば、軸部材１２１を抜いて表示部材を簡単に取り外すことができる。
【００８８】
第３の発明は、装置本体（台間装置本体６３）に表示部材５３を少なくとも備えてなる遊技用装置（台間装置３７）であって、表示部材５３は、前記装置本体（台間装置本体６３）から突出して備えられた表示部材受け部１０９に対し、鉛直方向の上部軸支構造１２３と下部軸支構造１２５を介して回動可能に備えられており、前記表示部材５３の下端には、ガイド軸９５が突設され、前記表示部材受け部１０９の下端内面には、前記ガイド軸９５が移動可能な保持部１４７を設けた係止部材１４５が備えられており、前記保持部１４７は、前記複数個の保持孔１４９（第一の保持孔１４９ａ、第二の保持孔１４９ｂ、第三の保持孔１４９ｃ、第四の保持孔１４９ｄ、第五の保持孔１４９ｅ）と前記各突起部１５１とによって一連の長尺連続溝状に形成されており、前記保持部１４７は、前記上部軸支構造１２３と前記下部軸支構造１２５を介して回動する表示部材５３の軌跡に対応したアーチ状に形成され、前記保持孔１４９は、前記ガイド軸９５が収容可能な孔径を有する短尺筒状に形成され、前記相対向する突起部１５１間の隙間１５３は、前記ガイド軸９５し広げつつ隣の保持孔１４９へと移動可能な隙間幅に形成されていることを特徴とする遊技用装置（台間装置）としたことである
【００８９】
第３の発明によれば、表示部材５３の回動動作に応じて、ガイド軸９５が所定の保持孔１４９（例えば第一の保持孔１４９ａ）から連続溝方向に位置する所定の他の保持孔１４９（例えば第二の保持孔１４９ｂ）へと移動して、その保持孔（例えば第二の保持孔１４９ｂ）内に保持されることによって、表示部材５３は所定角度に回動した状態で保持される。
すなわち、ガイド軸９５は、保持孔（例えば第一の保持孔１４９ａ）から保持孔（例えば第二の保持孔１４９ｂ）へと移動する際に、突起部１５１間の隙間１５３をガイド軸９５が押し広げつつ移動するため、ガイド軸９５がその突起部１５１間の隙間１５３を通過すれば、突起部１５１間の隙間１５３幅がガイド軸９５の最大径よりも小径であるため、回動方向への所定の力がかからない限りその保持孔１４９内にガイド軸９５が保持される。よって、表示部材５３の移動は制限される。
また、保持孔（例えば第一の保持孔１４９ａ）から保持孔（例えば第二の保持孔１４９ｂ）へとガイド軸９５が移動する際に、突起部１５１間の隙間１５３を弾性に抗して押し広げようとする力が働く。
【００９０】
第４の発明は、第３の発明において、前記保持部１４７に沿って伸縮スリット１５５が設けられていることを特徴とする遊技用装置としたことである。
【００９１】
第４の発明によれば、保持孔（例えば第一の保持孔１４９ａ）から保持孔（例えば第二の保持孔１４９ｂ）へとガイド軸９５が移動する際に、突起部１５１間の隙間１５３を押し広げようとする力が働くが、そのような力を伸縮スリット１５５によって吸収することができ、係止部材１４５の損傷などを防止することができる。
【００９２】
第５の発明は、装置本体（台間装置本体６３）に表示部材５３を少なくとも備えてなる遊技用装置（台間装置３７）であって、表示部材５３は、前記装置本体（台間装置本体６３）から突出して備えられた表示部材受け部１０９に対し、鉛直方向の上部軸支構造１２３と下部軸支構造１２５を介して回動可能に備えられており、前記表示部材５３と前記台間装置本体６３との間には、表示部材５３側に設けられた第１のカバー部（背面部材７５）と、装置本体（台間装置本体６３）側に設けられた第２のカバー部（後カバー部９９）とが備えられ、前記第１のカバー部（背面部材７５）には、円弧形状の突出部（配線カバー部８９）が設けられ、前記表示部材５３と前記装置本体（台間装置本体６３）との間にわたって配設される配線構造（ハーネス８５等）は、前記突出部（配線カバー部８９）を挿通可能であり、前記表示部材５３と前記装置本体（台間装置本体６３）とが近接している場合には前記突出部（配線カバー部８９）の少なくとも一部が前記第２のカバー部（後カバー部９９）内に入り込み、前記表示部材５３と前記装置本体（台間装置本体６３）とが離間している場合には、前記配線構造（ハーネス８５）が前記突出部（配線カバー部８９）によって視認不可能となることを特徴とする遊技用装置（台間装置）としたことである。
【００９３】
第５の発明によれば、突出部（カバー部８９）により配線構造（ハーネス８５）が外部から視認不可能となるため不正遊技者等による不正行為を未然に防止することができる。
【００９４】
第６の発明は、第５の発明において、前記突出部（配線カバー部８９）は、前記表示部材５３の回動軌道に対応する円弧形状であることを特徴とする遊技用装置としたことである。
【００９５】
第６の発明によれば、前記突出部（配線カバー部８９）が、前記表示部材５３の回動軌道に対応する円弧形状を有し、その突出部（配線カバー部８９）内を配線構造（ハーネス８５）が挿通可能であるため、表示部材５３の回動作動時において、配線部材（ハーネス８５等）が潰されたりする虞もない。
【００９６】
本発明によれば、遊技者の利便性の向上を図り得る遊技用装置を提供し得た。
【産業上の利用可能性】
【００９７】
本発明は、パチンコ遊技機の他、パチスロ機、スロットマシン機及びルーレットマシン等のゲーミングマシン（ゲーム機）にも利用可能である。
なお、上記実施形態では、遊技用装置の一例として台間装置を示し、この台間装置に設けられた表示部材の移動構造について説明したが、これに限定されるものではなく、遊技用装置として、データ表示機、サイネージ、計数機、遊技媒体貸出装置、情報表示装置等も対象とされ、これら遊技用装置に設けられた何らかの部材（又は遊技用装置そのもの）を、段階的若しくは無段階的に移動又は調節する機構にも適用可能である。
【符号の説明】
【００９８】
３７  台間装置（遊技用装置）
５３  表示部材
６３  台間装置本体（装置本体）
１０９  表示部材受け部
１１５  上カバー
１２１  軸部材
１２３  上部軸支構造
１２５  下部軸支構造
１４３  隙間
Ｌ１  軸部材の鉛直方向の長さ
Ｌ２  上カバーと表示部材受け部との間に形成される隙間の鉛直方向幅
【図１】
0006538523.tif 000002
【図２】
0006538523.tif 000003
【図３】
0006538523.tif 000004
【図４】
0006538523.tif 000005
【図５】
0006538523.tif 000006
【図６】
0006538523.tif 000007
【図７】
0006538523.tif 000008
【図８】
0006538523.tif 000009
【図９】
0006538523.tif 000010
【図１０】
0006538523.tif 000011
【図１１】
0006538523.tif 000012
【図１２】
0006538523.tif 000013
【図１３】
0006538523.tif 000014
【図１４】
0006538523.tif 000015